(57)【要約】【課題】  コンデンシング型給湯装置にて側方排気を行う場合に、側方排気筒が必要以上に前方に出張ることなく、且つ排気方向を左右のどちら向きに選択しても側方排気筒の底面の高さが器具の排気接続口の下端の高さよりも高くならない構造の給湯装置を実現する。【解決手段】  器具１前面に設置する側方排気筒２の裏面板２８には、器具１側の排気接続口６１よりも大きく且つこの側方排気筒２の上下面板２５，２６の内面に達する大きさを有して排気接続口６１に連通する排気導入口２２を設けると共に、排気接続口６１と略同サイズの位置決め用開口３１を有してこの排気導入口２２を覆うシール板３を着脱自在に取付け、しかもこのシール板３の位置決め用開口３１は、側方排気筒２を上下面を反対にしてこのシール板３を取付けても排気導入口２２と重なり且つこの位置決め用開口３１の下端３１ａが排気導入口２２の下端以下に配置される位置に形成する。【選択図】  図１
2005214502.tif 000002
【特許請求の範囲】
【請求項１】
燃焼排気から潜熱をも吸収させるコンデンシング型の給湯装置にあって、
器具内には前面に設けた排気接続口の高さ以下の位置にドレン回収部を備える一方、器具前面にて排気方向を左右のどちらかの側方に向けるために長手方向の一端に燃焼排気の吹出口を設けた横長の側方排気筒を上記排気接続口に連通させて器具前面に設置し、
上記側方排気筒の裏面には、上記排気接続口よりも大きく且つこの側方排気筒の上下の内面に達する大きさを有して排気接続口に連通する排気導入口を設けると共に、上記排気接続口と略同サイズの位置決め用開口を有してこの排気導入口を覆うシール板を着脱自在に取付け、
上記シール板の位置決め用開口は、上記側方排気筒を上面と下面とを反対にしてこのシール板を取付けても上記排気導入口と重なり且つこの位置決め用開口の下端が上記排気導入口の下端以下に配置される位置に形成したことを特徴とする給湯装置。
【請求項２】
請求項１に記載の給湯装置において、
上記側方排気筒の上下面は、前後方向において上記排気導入口が設けられた裏面に向かう程に狭くなるテーパとした給湯装置。
【請求項３】
請求項１または２に記載の給湯装置において、
上記側方排気筒の上下面は、長手方向において上記排気導入口の頂部に向かう程に広くなるテーパとした給湯装置。
【発明の詳細な説明】
【技術分野】
【０００１】
本発明は、燃焼排気から潜熱をも吸収させるコンデンシング型の給湯装置にあって、その器具前面にて排気方向を左右のどちらかの側方に向けるようにしたものに関する。
【背景技術】
【０００２】
従来、図７に示すように、側方排気を行わせる給湯装置Ｋは、器具前面に横長の側方排気筒Ｓを設け、この側方排気筒Ｓの一端に燃焼排気を排気させる吹出口Ｆを設けたものである。この側方排気の給湯装置Ｋは、設置される屋外環境として玄関ドアＤや壁等の位置関係から排気方向を左右のどちらにでも選択できるようにしたものがある（特許文献１、特許文献２）。
【０００３】
例えば、図８（ａ）（ｂ）に示す給湯装置は、一端に吹出口８０９を設けた横長の側方排気筒８０８を器具８０１の前板８０３に設けた排気接続口８０５の中央部でスピンドル８１２により器具前面に回動自在に軸支すると共に、この側方排気筒８０８をスプリング８１５により常時器具前面に押圧付勢するようにしている（特許文献１の第１図、第２図）。そして、吹出口８０９の排気方向を逆方向に変更する場合は、側方排気筒８０８をスプリング８１５の付勢力に抗して引っ張り、その状態で側方排気筒８０８の上下面が反対となるように１８０度回動させて手を離せば、スプリング８１５の付勢力により側方排気筒８０８が器具前面に再び密着され、これによって排気方向を逆方向に変更することができる。
【０００４】
一方、燃焼排気から潜熱をも吸収させるコンデンシング型の給湯装置（図示せず）では、燃焼排気温度が露点以下に下げられるので燃焼排気中の酸性成分を含むドレンが発生する。このドレンは、酸性になっているため、器具内において潜熱吸収用の副熱交換器の下方にドレン受け皿（ドレン回収部）を設けて回収して中和させた後、器具外に排水させる。また、副熱交換器の下流の排気通路中において発生したドレンをも回収する為、上記ドレン受け皿は、排気筒に通じる排気接続口の高さ以下の位置に設けられる。
【特許文献１】実開平３−１２８２４１号公報
【特許文献２】実開平６−６５７３２号公報
【発明の開示】
【発明が解決しようとする課題】
【０００５】
しかしながら、図８に示した上記の側方排気構造をこのコンデンシング型の給湯装置に適用した場合、側方排気筒８０８の底面８０８ａの高さが器具前面の排気接続口下端８０５ａの高さよりも低い位置にある為（図８（ａ）参照）、側方排気筒８０８に生じたドレンがこの側方排気筒８０８の底面８０８ａに溜まってしまう。そこで、この側方排気筒８０８の上下幅を器具の排気接続口８０５の上下幅と同じ位に細くすれば、１８０度回動させて排気方向を左右のどちら向きに選択しても、側方排気筒８０８の底面８０８ａの高さを排気接続口下端８０５ａの高さと同じにすることができ、この側方排気筒８０８の底面８０８ａにはドレンが溜まることなく排気接続口８０５を越えて器具内のドレン受け皿に流し込むことができる。
【０００６】
ところが、吹出口８０９からの排気を円滑に行わせるには、側方排気筒８０８は、ある程度の容積を確保しておく必要があるので、その上下幅を細くすればする程、前方に長く伸ばす必要があり、これでは、給湯装置における側方排気筒８０８の部分が非常に大きく前に出張ってしまい、給湯装置の設置場所での壁面等との一体感が失われ、見栄えがよくない。
【０００７】
本発明は、上記事情に鑑みてなされたものであり、コンデンシング型給湯装置における側方排気を行う場合に、側方排気筒が必要以上に前方に出張ることなく、且つ排気方向を左右のどちら向きに選択しても側方排気筒の底面の高さが器具の排気接続口の下端の高さよりも高くならない構造の給湯装置を実現することを課題とする。
【課題を解決するための手段】
【０００８】
（１）本発明に係る給湯装置は、
燃焼排気から潜熱をも吸収させるコンデンシング型の給湯装置にあって、
器具内には前面に設けた排気接続口の高さ以下の位置にドレン回収部を備える一方、器具前面にて排気方向を左右のどちらかの側方に向けるために長手方向の一端に燃焼排気の吹出口を設けた横長の側方排気筒を上記排気接続口に連通させて器具前面に設置し、
上記側方排気筒の裏面には、上記排気接続口よりも大きく且つこの側方排気筒の上下の内面に達する大きさを有して排気接続口に連通する排気導入口を設けると共に、上記排気接続口と略同サイズの位置決め用開口を有してこの排気導入口を覆うシール板を着脱自在に取付け、
上記シール板の位置決め用開口は、上記側方排気筒を上面と下面とを反対にしてこのシール板を取付けても上記排気導入口と重なり且つこの位置決め用開口の下端が上記排気導入口の下端以下に配置される位置に形成したことを特徴とするものである。
上記構成より、側方排気筒を前後面の関係を維持して上面と下面とが反対になるように１８０度回動させてこの側方排気筒の排気方向を左右のどちら向きに選択しても、上記シール板の位置決め用開口は、側方排気筒の排気導入口に重なり且つこの位置決め用開口の下端が上記排気導入口の下端以下に配置される。
【０００９】
これにより、この側方排気筒をシール板の位置決め用開口を通して排気接続口に連通させて器具前面に設置することにより、側方排気筒の排気方向を左右のどちらに向けても、側方排気筒の底面の高さを器具の排気接続口の下端の高さよりも高くならない位置に設定することができる。
従って、この側方排気筒で発生したドレンを、側方排気筒に留めることなく裏面の排気導入口およびこれに連通する器具の排気接続口に流し込むことができる。
しかも、側方排気筒の上下幅を器具の排気接続口の上下幅よりも大きく設定できるので、排気容積を確保するうえで、この側方排気筒を必要以上に前方に出張らせなくてもよい。
【００１０】
（２）また、上記給湯装置において、上記側方排気筒の上下面は、前後方向において上記排気導入口が設けられた裏面に向かう程に狭くなるテーパとしたものでもよい。これにより、側方排気筒で発生したドレンが、排気導入口が設けられた裏面側に流れるように誘導することができる。
【００１１】
（３）また、上記給湯装置において、上記側方排気筒の上下面は、長手方向において上記排気導入口の頂部に向かう程に広くなるテーパとしたものでもよい。これにより、側方排気筒で発生したドレンが、裏面の排気導入口を設けた位置に流れるように誘導することができる。
【発明の効果】
【００１２】
以上のように、本発明によれば、上記側方排気筒の裏面には、上記排気接続口よりも大きく且つこの側方排気筒の上下の内面に達する大きさの排気導入口を設けると共に、この排気導入口を覆い且つ上記排気接続口と略同サイズの位置決め用開口を所定位置に形成したシール板を着脱自在に取付けることにより、側方排気筒を必要以上に前方に出張らせることなく、排気方向を左右のどちら向きに選択してもこの側方排気筒の底面の高さが器具の排気接続口の下端の高さよりも高くならないように設定することができる。
【００１３】
従って、排気方向を左右のどちら向きに選択しても、側方排気筒で発生したドレンは、この側方排気筒に溜まることなく排気接続口を越えて器具内のドレン回収部に流し込むことができる。
しかも、側方排気筒の上下幅を器具の排気接続口の上下幅よりも大きく設定できるので、排気容積を確保するうえで、この側方排気筒を必要以上に前方に出張らせなくてもよいから、屋外の設置場所において壁面等との一体感を損なうこともない。
【発明を実施するための最良の形態】
【００１４】
以下に、本発明の実施の形態について添付図面を参照しながら説明する。
本発明の実施の形態は、コンデンシング型の給湯装置にあって、器具前面に設置された側方排気筒により排気方向を側方に向けるようにしたものである。
この給湯装置は、図１に示すように、器具１の缶体１０内に、ファン（図示せず）、バーナ（図示せず）、熱交換器１４，１５が下から順に収容されている。また、器具前面となる缶体１０の前板１１には、下方に吸気口１３が開口され（図５参照。）、上方に排気口１２が開口されている。従って、ファンの作動により吸気口１３から空気が取り込まれ、バーナの燃焼排気が上昇されて熱交換器１４，１５を通過した後、排気口１２から排気される。
【００１５】
上記熱交換器１４，１５は、下段に燃焼排気から主に顕熱を吸収する主熱交換器１４を有し、上段に燃焼排気から主に潜熱を吸収する副熱交換器１５を有している。この副熱交換器１５は、下面後方と前面とが開口された矩形のボックス１６内に収容されており、燃焼排気は、下面後方の開口から取り込まれて、後方から副熱交換器１５を通過して前面の開口に至り、上記排気口１２に送り込まれる（図１中の黒矢印を参照。）。
【００１６】
また、このボックス１６には、副熱交換器１５の下方に前方に低く傾斜された仕切り板１７が設けられている。そして、このボックス１６の前方下部において仕切り板１７の下方位置にドレン回収部となる漏斗状のドレン受け皿１８が設けられている。これにより、副熱交換器１５から発生する酸性のドレンが仕切り板１７に滴下し、前方のドレン受け皿１８に流れ込むようになる（図１中の白抜き矢印を参照）。そして、このドレン受け皿１８に回収されたドレンは、中和された後に器具１外に排水される。なお、ドレン受け皿１８は、前板１１に開口された排気口１２の下端と同じ高さか、それよりも低い位置に設置されている。
【００１７】
上記器具１の前板１１の排気口１２には、排気集合筒６がパッキン（図示せず）を介在させて気密状態に取付けられている。この排気集合筒６は、後部が排気口１２の形状に合致して形成され、前部が縮径されて円筒状に形成されており、この円筒状の前部が排気接続口６１となって化粧カバー４が外装された側方排気筒２と連通接続される。
この側方排気筒２は、その前面板２７において排気集合筒６に設けられて前部の排気接続口６１から突出させた略コ字形の取付け枠７にねじ止め固定されると共に、器具１上端に取付けられたＬ字状の支え板５に化粧カバー４がねじ止め固定され、これによって器具１前面に側方排気筒２がしっかり固定されている。
【００１８】
また、上記取付け枠７は、前方がやや高くなるように傾斜させて排気集合筒６に取付けられており、その結果、図１に示すように、この取付け枠７は、前方が高くなるように所定角度θ傾斜されている。これにより、この取付け枠７に取付けられた側方排気筒２も、底面２６ａの前方がやや高くなるように傾斜されている。なお、上記取付け枠７は、水平に取付けられて側方排気筒２の底面２６ａが水平に設置されるようにしてもよい。
【００１９】
そして、上記側方排気筒２は、図２に示すように、長手方向の一端に燃焼排気を排気させる吹出口２１を設けた横長の箱状に形成されている。この側方排気筒２は、裏面板２８に上記排気接続口６１よりも大きく且つこの側方排気筒２の上下面板２５，２６の内面に達する大きさの縦長楕円形状の排気導入口２２が設けられている（図２（ａ）参照。）。この排気導入口２２は、吹出口２１とは反対側寄りに設けられ、これによって、この排気導入口２２から流入される燃焼排気の流れが吹出口２１側に向き易くされている（図２（ｂ）中の黒矢印を参照。）。
【００２０】
また、この吹出口２１には、複数の風向板２４が組み込まれている（図２（ｂ）参照。）。この風向板２４は、外側ほど前方に傾けられて吹出口２１から吹き出される燃焼排気をやや前方斜め方向となるようにしており、これによって、この給湯装置の設置場所での壁面等に燃焼排気が直接当たらないようにしている。なお、この吹出口２１には、このような風向板２４を設けなくてもよいし、また、この吹出口２１には、適宜金網を張設するようにしてもよい。
【００２１】
また、側方排気筒２の裏面板２８の周囲には鍔部２３が形成され、このその鍔部２３の上下辺は、前側に延ばして更に内側に折り返されたフランジ２３ａ，２３ａが形成されており、このフランジ２３ａ，２３ａに化粧カバー４がねじ止めされ、鍔部２３に次に述べる長方形状のシール板３がねじ止めされている（図１参照。）。
上記シール板３は、図３、図４に示すように、側方排気筒２の裏面板２８に、排気導入口２２の周囲を気密状態にし且つ排気導入口２２を覆って着脱自在に取付けられている。このシール板３は、上記排気接続口６１と略同サイズの円形の位置決め用開口３１が設けられており、シール板３を側方排気筒２に取付けた状態では、この位置決め用開口３１は、上記排気導入口２２と重なり且つその下端３１ａが上記排気導入口２２の下端以下に配置される位置に形成されている（図４参照。）。詳しくは、この位置決め用開口３１内に器具１側の排気接続口６１が内嵌されてくるため、位置決め用開口３１の下端３１ａは、上記排気導入口２２の下端からこの排気接続口６１の厚み分相当低い位置に配置される（図１参照）。
【００２２】
また、シール板３は、側方排気筒２との取付け面側の表面には排気導入口２２と略同形の楕円孔が打ち抜かれたパッキン３５が貼り付けられており（図３（ａ）参照。）、このシール板３を側方排気筒２に取付けたとき排気導入口２２の周囲との間の気密性が確保されている。また、このシール板３の表面における位置決め用開口３１の上方には、側方排気筒２に対する取付けの向きを示す「上」の文字の刻印３７が施されている（図３（ｃ）参照。）。
【００２３】
さらに、このシール板３は、裏面側に突出された円筒接続部３２が位置決め用開口３１に連続形成されており（図３（ｂ）参照。）、この円筒接続部３２が器具１側の排気接続口６１に外嵌される。そして、この円筒接続部３２の途中には、外方に膨らんだ膨出部３３が形成されてその内側にＯリング３６が嵌め込まれており（図３（ｂ）参照。）、この円筒接続部３２が器具１側の排気接続口６１に外嵌された状態での気密性が確保されている（図１参照。）。
【００２４】
次に、上記側方排気筒の器具への取付け方を説明する。
図５の分解斜視図を参照して、まず、器具１の上端にＬ字状の支え板５をねじ止めして固定しておく。そして、燃焼排気の排気方向を左右のどちらにするかを決め、決定した排気方向に吹出口２１が向くように側方排気筒２を横長状態にし、この側方排気筒２の裏面板２８にシール板３をその四隅をねじ止めして取付ける（図４参照。）。
【００２５】
この際、シール板３は、「上」の刻印３７が上になる向きにし、且つ円筒接続部３２が外側を向くようにし排気導入口２２を覆うようにして取付ける。すると、シール板３の位置決め用開口３１が側方排気筒２の排気導入口２２と重なり、且つこの位置決め用開口３１の下端３１ａが排気導入口２２の下端以下に位置する。また、排気導入口２２の周囲には、シール板３の表面のパッキン３５が介在されて、側方排気筒２とシール板３との間の気密性が確保される。なお、このシール板３は、側方排気筒２の裏面板２８に対しねじ止めにより着脱自在に取付けられるが、着脱自在に取付けられるのであれば、シール板３、側方排気筒２に係合爪等を設ける等その取付け手段の如何を問わない。
【００２６】
次いで、このシール板３を取付けた側方排気筒２を、その裏面板２８の排気導入口２２がシール板３を介して器具１の排気接続口６１と連通されるように横長状態にして器具１前面に設置し、側方排気筒２の前面板２７と器具１の排気接続口６１から突出されたコ字状の取付け枠７とをシール部材（図示せず）を介在させてねじ止めして固定する。
【００２７】
この際、シール板３のＯリング３６を設けた円筒接続部３２が器具１の排気接続口６１に外嵌されて、シール板３と排気接続口６１との間の気密性が確保される。また、上記取付け枠７は、前方がやや高くなるように傾斜させて排気集合筒６に取付けられているので、この取付け枠７に取付けられた側方排気筒２も、前方がやや高くなるように傾斜されて設置される。
【００２８】
このようにして、上記側方排気筒２を上記シール板３の位置決め用開口３１を通して器具１の排気接続口６１と連通させて器具１前面に設置すると、シール板３の位置決め用開口３１が側方排気筒２の排気導入口２２と重なり、且つこの位置決め用開口３１の下端３１ａが排気導入口２２の下端以下に位置した状態となるので、側方排気筒２の底面２６ａの高さが器具１の排気接続口６１の下端の高さと略同じに設定される。
【００２９】
そして、断面コ字状の横長の化粧カバー４を、器具１前面に設置した側方排気筒２の上下のフランジ２３ａ，２３ａにねじ止めして取付けた後、側方排気筒２が水平になるように位置決めし、支え板５と化粧カバー４をねじ止めにより固定する。
以上で、側方排気筒２の設置が完了する。
【００３０】
一方、排気方向を上記と逆向きにしたい場合は、シール板３を取付ける前に、側方排気筒２を上下面が反対となるように１８０度回動させ、後は上記と同様にシール板３を取付けて器具１前面に取付ければよい。この場合も、シール板３の位置決め用開口３１が側方排気筒２の排気導入口２２と重なり、且つ位置決め用開口３１の下端３１ａが排気導入口２２の下端以下に位置した状態となるので、側方排気筒２の底面２６ａの高さが器具１の排気接続口６１の下端の高さと略同じに設定される。
【００３１】
以上のように、本実施の形態の給湯装置によれば、上記側方排気筒２の裏面板２８には、上記排気接続口６１よりも大きく且つこの側方排気筒２の上下面板２５，２６の内面に達する大きさを有して排気接続口６１に連通する排気導入口２２を設けると共に、上記排気接続口６１と略同サイズの位置決め用開口３１を有してこの排気導入口２２を覆うシール板３を着脱自在に取付け、しかも、上記シール板３の位置決め用開口３１は、上記側方排気筒２を上面と下面とを反対にしてこのシール板３を取付けても上記排気導入口２２と重なり且つこの位置決め用開口３１の下端３１ａが上記排気導入口２２の下端以下に配置される位置に形成されている。
【００３２】
これにより、側方排気筒２を前後面の関係を維持して上面と下面とが反対になるように１８０度回動させてこの側方排気筒２における排気方向を左右のどちら向きに選択しても、上記シール板３の位置決め用開口３１は、側方排気筒２の排気導入口２２に重なり且つこの位置決め用開口３１の下端３１ａが上記排気導入口２２の下端以下に配置される。従って、この側方排気筒２をシール板３の位置決め用開口３１を通して排気接続口６１に連通させて器具１前面に設置することにより、側方排気筒２の排気方向を左右のどちらに向けても、側方排気筒２の底面２６ａの高さを器具１の排気接続口６１の下端の高さと略同じに設定することができる。
【００３３】
また、この側方排気筒２は、前方をやや高く傾斜させた取付け枠７に取付けられてその前方がやや上向きに傾くように設置されている。これにより、側方排気筒２に発生し底面２６ａに滴下したドレンは、排気導入口２２が設けられた裏面板２８側に流れるように誘導される。
以上のことから、排気方向を左右のどちら向きに選択しても、側方排気筒２で発生したドレンは、この側方排気筒２の底面２６ａに溜まることなく排気接続口６１を越えて器具１内のドレン受け皿１８に流し込むことができる（図１中の白抜き矢印を参照。）。
【００３４】
しかも、この側方排気筒２の上下幅は、器具１の排気接続口６１よりも長くしているので、排気容積を確保するうえで、この側方排気筒２を必要以上に前方に出張ることもないから、屋外の設置場所において壁面等との一体感を損なうこともない。
なお、本発明は、上記実施の形態に限定されるものではなく、例えば、図６（ａ）に示すように、側方排気筒２ａの上下面板２５，２６は、長手方向において排気導入口２２の上下の頂部に向かう程に広くなるテーパＴとしたものでもよい。これにより、側方排気筒２ａで発生し底面２６ａに滴下したドレンを、裏面板２８の排気導入口２２を設けた位置に流れるように誘導することができる。
【００３５】
また、図６（ｂ）に示すように、側方排気筒２ｂの上下面板２５，２６は、前後方向において排気導入口２２が設けられた裏面板２８に向かう程に狭くなるテーパＴとしたものでもよい。これにより、側方排気筒２で発生し底面２６ａに滴下したドレンを、排気導入口２２が設けられた裏面板２８側に流れるように誘導することができる。
また、上記側方排気筒２の排気導入口２２の孔形状やその形成場所等も、上記実施の形態のものに限定されるものではない。
【図面の簡単な説明】
【００３６】
【図１】実施の形態による給湯装置における側方排気の構成の要部を示す断面図である。
【図２】側方排気筒の構成を示す図であり、同図（ａ）はその裏面側から見た斜視図、同図（ｂ）はその断面図である。
【図３】シール板の構成を示す図であり、同図（ａ）はその裏側から見た平面図、同図（ｂ）はその側面図、同図（ｃ）はその表側から見た平面図である。
【図４】側方排気筒の裏面にシール板を取付けた状態を示す平面図である。
【図５】実施の形態による給湯装置の構成を示す分解斜視図である。
【図６】側方排気筒の他の例をそれぞれ示した図であり、同図（ａ）は変形例の一つを示す平面図、同図（ｂ）は変形例のもう一つを示す断面図である。
【図７】アルコーブ設置状態の側方排気型の給湯装置の設置例を示す模式図である。
【図８】従来の側方排気を行う給湯装置の構成を示す断面図である。
【符号の説明】
【００３７】
１  給湯装置
２  側方排気筒
３  シール板
４  化粧カバー
５  支え板
６  排気集合筒
７  取付け枠
１０  器具
１１  前板（器具前面）
１２  排気口
１８  ドレン受け皿（ドレン回収部）
２１  吹出口
２２  排気導入口
２５  側方排気筒の上面板
２６  側方排気筒の下面板
２６ａ  側方排気筒の底面
２８  側方排気筒の裏面板
３１  位置決め用開口
３１ａ  位置決め用開口の下端
３２  円筒接続部
６１  排気接続口
【図１】
2005214502.tif 000003
【図２】
2005214502.tif 000004
【図３】
2005214502.tif 000005
【図４】
2005214502.tif 000006
【図５】
2005214502.tif 000007
【図６】
2005214502.tif 000008
【図７】
2005214502.tif 000009
【図８】
2005214502.tif 000010